(57)【要約】      （修正有）【課題】密閉強化の防水、衝突防止、騒音減衰機能を達成する負圧カップにある振動ケースを提供する。【解決手段】振動ケースは、内部に振動モーター４００が設置され、裏面に閉塞する振動ケース裏カバー１２０が設置されている負圧カップ２００に組み立てられる振動ケース本体１００を含み、防水ゲル３００が裏カバーと本体との接触面に設置され、裏カバーと本体との接触面にフランジ部と溝部とがそれぞれ設けられ、防水ゲルの表面に断面が凹型の凹部が設置され、凹部がフランジ部に取り付けられ、溝部に差し込まれて密閉する。また、雑音低減カバー４１０が、振動モーターの外部を被覆して、振動モーターを安定に固定し、振動時に生じる衝突や騒音を減少する。さらに、緩衝クッション４２０が振動モーターと雑音低減カバーとの間に設置され、振動モーター自体の搖動を緩和する。【選択図】図１
0003222770.tif 000002
【実用新案登録請求の範囲】
【請求項１】
内部に振動モーターが設置され、裏面に閉塞する振動ケース裏カバーが設置されている負圧カップに組み立てられる振動ケース本体を含み、
前記振動ケース裏カバーと前記振動ケース本体との接触面に設置され、前記振動ケース裏カバーと前記振動ケース本体との前記接触面にフランジ部と溝部とがそれぞれ設けられ、表面に断面が凹型を有する凹部が設置され、前記凹部が前記フランジ部に取り付けられ、前記溝部に差し込まれて密閉する防水ゲルと、
前記振動モーターの外部を被覆して、前記振動ケース本体に固定され、前記振動モーターの位置を確実に固定する雑音低減カバーと、
前記振動モーターと前記雑音低減カバーとの間に設置される緩衝クッションとを特徴とする密閉強化の防水、衝突防止、騒音減衰機能を達成する負圧カップにある振動ケース。
【請求項２】
前記防水ゲルは延性のある弾性体であり、前記防水ゲルが前記振動ケース裏カバーと前記振動ケース本体との間に挟まれたとき、圧力を受けて拡張され、前記フランジ部及び前記溝部に完全にフィットする請求項１に記載の密閉強化の防水、衝突防止、騒音減衰機能を達成する負圧カップにある振動ケース。
【請求項３】
前記防水ゲルは前記接触面に囲まれている帯状物より生成された一体成形のメッシュ構造である請求項１に記載の密閉強化の防水、衝突防止、騒音減衰機能を達成する負圧カップにある振動ケース。
【請求項４】
前記防水ゲルは前記振動ケース本体の前記裏面を完全に覆う全面のパネル構造であり、且つ前記パネル構造と前記接触面とが接触する位置に前記凹部が設置される請求項１に記載の密閉強化の防水、衝突防止、騒音減衰機能を達成する負圧カップにある振動ケース。
【請求項５】
前記振動ケース裏カバー及び前記振動ケース本体の前記フランジ部と前記溝部との設置が交換され、前記防水ゲルの前記凹部は前記フランジ部及び前記溝部に合わせて方向が調整されて設置される請求項１に記載の密閉強化の防水、衝突防止、騒音減衰機能を達成する負圧カップにある振動ケース。
【請求項６】
前記雑音低減カバーの形状は前記振動モーターのハウジングと同じであり、前記雑音低減カバーを前記振動モーターの外部に確実に固定させる請求項１に記載の密閉強化の防水、衝突防止、騒音減衰機能を達成する負圧カップにある振動ケース。
【請求項７】
前記緩衝クッションは発泡体であり、前記振動モーター自体の搖動を有効に緩和する請求項１に記載の密閉強化の防水、衝突防止、騒音減衰機能を達成する負圧カップにある振動ケース。
【考案の詳細な説明】
【技術分野】
【０００１】
本考案は負圧カップにある振動ケースに属し、特に密閉強化構造を用いて、防水、衝突防止、騒音減衰機能を達成する負圧カップにある振動ケースに関するものである。
【背景技術】
【０００２】
負圧カップは、体の表面にカッピングして、負圧吸引により肌を刺激させることによって健康を高める健康機器である。負圧カップによる健康効果をより高めるため、負圧カップに振動ケースをさらに設置することもできる。よって、負圧吸引が行われる同時に振動させることで、血液循環が促進され、健康をより高める効果がある。
【０００３】
振動ケースの中に水が入ると壊れるため、長時間有効に使用するには、振動ケースの防水機能を強化することが必要である。また、振動ケースの動力源としての振動モーターが作動するとき、ケース本体にぶつかることが多いため、騒音を起こすと共に、使用可能期間が短縮され、エネルギーの浪費にもなる。
【０００４】
防水機能として、一般的な構造はＯリング（別称：Ｏ型リング、Ｏ形リング）である。Ｏリングとは、円環の形をした機械部品としての防水ガスケットであり、通常は弾性体であって、その断面は円形が多い。また、一般的には、Ｏリングを溝に装着して固定させて、部品が組み立てられるとき、装着されたＯリングは二つ又は二つ以上の部品に押されることで、密封された接合が形成される。
【０００５】
Ｏリングは、価格が安くて構造も簡単であり、また信頼性の高い機能で、取り付けも簡単であって、かつ数十パスカル（キップ）の圧力を受けることができるため、密閉構造を成す部品同士が相対的に動かない状態の固定用、または密閉構造を成す部品同士が相対運動する状態の運動用に使用される。例えば回転ポンプ軸や油圧シリンダーピストンである。
【０００６】
しかし、Ｏリングは、構造が簡単であり、その固定する面が適当に固定されていないことが多い他、使用環境の変化によって高温または低温、化学的な腐食、振動、すり減り及び運動の中で不具合が発生しやすいことで、環境条件によって適当な弾性体の材料を選択する以外、その構造が更に改善される必要がある。
【０００７】
従って、現在、上記従来のＯリングが組み立て方法による防水効果の低下または失う問題を解決する提案がまだ必要である。
【０００８】
また、衝突防止、騒音減衰の機能について、振動モーターの操作原理は偏心輪を採用して、偏心輪を回転運動と往復運動を相互に変換させることによって振動を生成するため、振動モーターは完全に振動ケースにフィットして詰められるのではなく、簡単なフレームで固定するのが一般的であり、フレームが振動モーターを有効に固定することができないことで、振動モーターが作動するときもフレームと共に揺動していて、振動ケースにぶつかり易くなり、時間が経つと、振動ケースが破壊され、製品の損害に至る。
【０００９】
振動ケースのダメージになる他、振動モーターのランダムな揺動は振動ケースの振動を不安定にさせ、パフォーマンスの低下による作業への影響になり、エネルギーの無駄にもなる。
【００１０】
さらに、振動モーターが作動するとき、元々振動の騒音が起きるため、上記振動モーターの揺動及び振動ケースの衝突で生じた騒音も加えたら、より耳障りな音になり、ユーザーの使い心地に対して大きな影響を与え、特に健康労働環境や長期使用の環境にとって、騒音はユーザーにより顕著な影響を与え、さらに使用する意欲が低下し、振動ケースの機能も発揮できないことになる。
【００１１】
前記の問題に鑑みて、従来技術にはまだ改善の余地があり、解決する必要があることは明らかである。
【００１２】
上記によって、本考案者等は改善を行い、長期的な研究開発及び実施後、本考案の密閉強化の防水、衝突防止、騒音減衰機能を達成する負圧カップにある振動ケースを完成した。
【考案の概要】
【考案が解決しようとする課題】
【００１３】
本考案の主な目的は、密閉強化の防水、衝突防止、騒音減衰機能を達成する負圧カップにある振動ケースを提供することであり、良好で完全な密閉性を有するため、防水、衝突防止、騒音減衰機能を有効に達成することができ、ユーザーのニーズを満たすことができる。
【００１４】
また、本考案のもう一つの目的は、密閉強化の防水、衝突防止、騒音減衰機能を達成する負圧カップにある振動ケースを提供することであり、防水ゲルを利用することで、従来のＯリングが組み立て方法による防水効果の低下または失う問題を解決し、最も良い防水効果を得ることができる。
【００１５】
さらに、本考案のもう一つの目的は、密閉強化の防水、衝突防止、騒音減衰機能を達成する負圧カップにある振動ケースを提供することであり、雑音低減カバー及び緩衝クッションを利用することで、振動モーターの設置を安定及び密閉させて、従来の振動モーターが振動ケースにぶつかる問題を防止することができ、構造の完全性を維持すると共に騒音も減少される。
【課題を解決するための手段】
【００１６】
上記の目的に記載された密閉強化の防水、衝突防止、騒音減衰機能を達成する負圧カップにある振動ケースを達するため、
内部に振動モーターが設置され、裏面に閉塞する振動ケース裏カバーが設置されている負圧カップに組み立てられる振動ケース本体と、
前記振動ケース裏カバーと前記振動ケース本体との接触面に設置され、前記振動ケース裏カバーと前記振動ケース本体との前記接触面にフランジ部と溝部とがそれぞれ設けられ、表面に断面が凹型を有する凹部が設置され、前記凹部が前記フランジ部に取り付けられ、前記溝部に差し込まれて密閉する防水ゲルと、
前記振動モーターの外部を被覆して、前記振動ケース本体に固定され、前記振動モーターの位置を確実に固定する雑音低減カバーと、
前記振動モーターと前記雑音低減カバーとの間に設置される緩衝クッションとを含む。
【００１７】
さらに、前記防水ゲルは延性のある弾性体であり、前記防水ゲルが前記振動ケース裏カバーと前記振動ケース本体との間に挟まれたとき、圧力を受けて拡張され、前記フランジ部及び前記溝部に完全にフィットする。
他の観点によれば、前記防水ゲルは前記接触面に囲まれている帯状物より生成された一体成形のメッシュ構造である。
若しくは、前記防水ゲルは前記振動ケース本体の前記裏面を完全に覆う全面のパネル構造であり、且つ前記パネル構造と前記接触面とが接触する位置に前記凹部が設置される。
【００１８】
また、前記振動ケース裏カバー及び前記振動ケース本体の前記フランジ部と前記溝部との設置が交換され、前記防水ゲルの前記凹部は前記フランジ部及び前記溝部に合わせて方向が調整されて設置される。
【００１９】
さらに、前記雑音低減カバーの形状は前記振動モーターのハウジングと同じであり、前記雑音低減カバーを前記振動モーターの外部に確実に固定させる。
【００２０】
そして、前記緩衝クッションは発泡体であり、前記振動モーター自体の搖動を有効に緩和する。
【考案の効果】
【００２１】
従来技術と比較すると、本考案によれば、以下の利点がある。
前記防水ゲルは、より安定的に、容易に、移動されにくく、脱落されにくく取り付けられる技術効果、且つ前記防水ゲルは組み立て方法による防水効果の低下または失うことになりにくい技術効果を達成することができる。
【００２２】
前記雑音低減カバーは、前記振動モーターの外部を完全に覆って被覆して、前記振動モーターを前記振動ケース本体に安定に固定させ、前記振動モーターの作動をより安定させ、前記振動ケース本体にぶつかることによるパフォーマンスの低下を生じないと共に、騒音も有効に減少される。
【００２３】
前記緩衝クッションは前記振動モーター自体の搖動をさらに緩和し、より安定で信頼性の高い全体構造にさせる。
【図面の簡単な説明】
【００２４】
【図１】本考案の実施形態に係る負圧カップ及び振動ケース本体の分解斜視図である。
【図２】本考案の実施形態に係る負圧カップ及び振動ケース本体の組立斜視図である。
【図３Ａ】本考案の実施形態に係る振動ケース裏カバーと防水ゲルとを結合した断面図である。
【図３Ｂ】図３Ａの振動ケース裏カバーと防水ゲルとを結合した部分の拡大詳細図である。
【図４Ａ】本考案の実施形態に係る防水ゲルが振動ケース本体に結合された断面図である。
【図４Ｂ】図４Ａの防水ゲルが振動ケース本体に結合された部分の拡大詳細図である。
【図５Ａ】本考案の実施形態に係る振動ケース本体と雑音低減カバー及び緩衝クッションとを結合した断面図である。
【図５Ｂ】図５Ａの振動ケース本体と雑音低減カバー及び緩衝クッションとを結合した部分の拡大詳細図である。
【考案を実施するための形態】
【実施例】
【００２５】
以下、本考案の目的、技術方案及び利点をさらに理解するように、図面及び具体的な実施例を組み合わせて、本考案をより詳細に説明する。本明細書に記載された実施例及びその観点について詳しく説明するが、これは本考案の構造や過程を解釈するため、説明の目的で提供するものであり、本考案の請求の範囲を限定するものではない。
【００２６】
本明細書に記載された実施例は、該実施例に係る特徴、方法、または特性を具体的に述べたものが幾つかの実施例に含まれる。よって、一つの実施例または多数の実施例の各形態を実施するものは同じ実施例に限らない。なお、本考案に係る特徴、方法、または特性を適当に一つまたは多数の実施例に組み込むことができる。
【００２７】
図１及び図２に示すように、本考案は負圧を供給する健康機能のある負圧カップ２００、及び前記負圧カップ２００に組み立てられる振動機能のある振動ケース本体１００を含む密閉強化の防水、衝突防止、騒音減衰機能を達成する負圧カップにある振動ケースを提供する。
【００２８】
前記振動ケース本体１００の内部には、振動モーター４００を設置する収容空間１１０を有し、前記振動ケース本体１００の裏面には、前記振動ケース本体１００の裏面を被覆して前記収容空間１１０を閉塞する振動ケース裏カバー１２０が設置されている。
【００２９】
図１及び図３Ａ〜図４Ｂに示すように、本考案は、前記振動ケース本体１００への水の侵入を防止する新たに応用される防水ゲル３００を主に提供し、前記振動ケース本体１００に必要な防水デザインに応用する。実施形態では、前記防水ゲル３００が前記振動ケース裏カバー１２０と前記振動ケース本体１００との接触面に設置され、前記防水ゲル３００の表面に断面が凹型を有する凹部３１０が設置され、前記凹部３１０の形状は例えばＵ形または半矩形である。実施形態では、前記防水ゲル３００は成形により形成されても良い。
【００３０】
実施形態では、前記防水ゲル３００は合成ゴム（別称：熱硬化性重合体）または熱可塑性プラスチック等の材料から形成される。合成ゴムの具体例としては、特に限定されないが、例えば、ブタジエンゴム（BR，butadiene rubber）、ブチルゴム（IIR，isobutylene isoprene rubber）、クロロスルホン化ポリエチレン（CSM，chlorosulfonated polyethylene）、エチレン−プロピレン―ジエンゴム（EPDM，ethylene propylene diene monomer）、エチレン−プロピレンゴム（EPR，ethylene propylene rubber）、フッ化炭素（FKM，fluorocarbon）、ニトリルブタジエンゴム（NBR，nitrile butadiene rubber）、パーフロロエラストマー（FFKM，perfluoroelastomer）、ポリアクリル酸ゴム（ACM，polyacrylate rubber）、クロロプレンゴム（CR，chloroprene rubber）、ポリイソプレンゴム（IR，polyisoprene rubber）、多硫化ゴム（PSR，polysulfide rubber）、シリコーンゴム（SIR，silicone rubber）、スチレンブタジエンゴム（SBR，styrene butadiene rubber）などが挙げられる。また、熱可塑性プラスチックの具体例としては、特に限定されないが、例えば、熱可塑性エラストマー（TPE，thermoplastic elastomer）（例えばスチレン）、熱可塑性ポリオレフィン（TPO，thermoplastic polyolefin）（例えば低密度ポリエチレン（LDPE，low density polyethylene）、高密度ポリエチレン（HDPE，high density polyethylene）、鎖状低密度ポリエチレン（LLDPE，linear low density polyethylene）、超低密度ポリエチレン（ULDPE，ultra low density polyethylene））、熱可塑性ポリウレタン樹脂（TPU，thermoplastic polyurethane）（例えばポリエーテル、ポリエステル）、熱可塑性ポリエステル/ポリエーテルエラストマー（TEEE，thermoplastic polyester/polyether elastomers）、熱可塑性ポリアミド（TPA，thermoplastic polyamide）（例えばポリアミド）、溶融加工可能ゴム（MPR，melt processable rubber）、熱可塑性加硫物（TPV，thermoplastic vulcanizate）などが挙げられる。
【００３１】
前記防水ゲル３００のＵ形または半矩形である前記凹部３１０は前記振動ケース裏カバー１２０のフランジ部１３０に取り付けられ、前記防水ゲル３００のＵ形または半矩形である前記凹部３１０の寸法及び形状と、前記振動ケース裏カバー１２０の前記フランジ部１３０の寸法及び形状とが互いに一致するように形成する。前記フランジ部１３０に取り付けられた前記防水ゲル３００は、前記振動ケース本体１００と前記振動ケース裏カバー１２０との前記接触面に設置された溝部１４０に更に設けられ、前記防水ゲル３００の外部側表面と前記溝部１４０とがしっかりとフィットして、前記凹部３１０が前記フランジ部１３０に取り付けられ、前記溝部１４０に差し込まれることによって完全に密閉して、防水の効果を達する。前記防水ゲル３００が有するＵ形または半矩形である前記凹部３１０は前記フランジ部１３０に取り付けられるため、容易にセットでき、移動されにくく、脱落されにくく、且つ組み立て方法による防水効果の低下または失うことになりにくいものである。
【００３２】
具体的には、前記防水ゲル３００は前記材料から製造された延性のある弾性体であり、前記防水ゲル３００が前記振動ケース裏カバー１２０と前記振動ケース本体１００との間に挟まれたとき、圧力を受けて拡張され、前記フランジ部１３０及び前記溝部１４０に完全にフィットする。
【００３３】
前記振動ケース裏カバー１２０の前記フランジ部１３０と前記振動ケース本体１００の前記溝部１４０との設置を交換しても良い。当然ながら、前記防水ゲル３００の前記凹部３１０は前記フランジ部１３０及び前記溝部１４０の位置を合わせるように方向が調整されて設置される。
【００３４】
実施形態では、前記防水ゲル３００は前記振動ケース裏カバー１２０と前記振動ケース本体１００との前記接触面に囲まれている帯状物より製造された一体成形のメッシュ構造である。若しくは、前記防水ゲル３００は前記振動ケース本体１００の裏面を完全に覆う全面のパネル構造（図面省略）のように設置され、前記パネル状の前記防水ゲル３００と前記接触面とが接触する位置に前記凹部３１０が設置されることで、前記パネル状の前記防水ゲル３００が前記振動ケース本体１００の前記収容空間１１０を完全に覆って密閉する。
【００３５】
本考案のもう一つの重点は、前記振動ケース本体１００の衝突を防止すると共に騒音も減衰する雑音低減カバー４１０及び緩衝クッション４２０を提供することである。図１、図５及び図５Ａに示すように、実施形態では、前記雑音低減カバー４１０は、前記振動モーター４００の外部を被覆して、前記雑音低減カバー４１０によって前記振動モーター４００を前記振動ケース本体１００に固定し、前記振動モーター４００の位置を確実に固定させる。従って、前記振動モーター４００は前記振動ケース本体１００で安定に動作することができ、任意の揺動による前記振動モーター４００が前記振動ケース本体１００に衝突することが発生しないと共に、前記雑音低減カバー４１０の被覆によって、前記振動モーター４００からの騒音を更に減少できる。
【００３６】
前記雑音低減カバー４１０の形状は前記振動モーター４００のハウジングと同じであり、前記雑音低減カバー４１０を前記振動モーター４００の外部に確実に固定させ、隙間を減少させることによって騒音の伝達を有効に遮断できる。
【００３７】
実施形態では、前記緩衝クッション４２０は前記振動モーター４００と前記雑音低減カバー４１０との間に設置され、前記振動モーター４００自体の搖動を緩和できる。
【００３８】
さらに、前記緩衝クッション４２０は柔軟な振動吸収材料であり、前記振動モーター４００の搖動を確実に緩和する機能を発揮する。例としては、発泡体が挙げられるが、これに限定されるものではない。
【００３９】
本考案によれば、本考案の前記防水ゲル３００は、前記振動ケース本体１００の防水構造である前記溝部１４０の寸法及び形状と互いに一致する特殊な形状を有することによって、より安定的に、容易に、移動されにくく、脱落されにくく取り付けられ、且つ組み立て方法による防水効果の低下または失うことになりにくい技術効果を達成することができる。また、前記雑音低減カバー４１０及び前記緩衝クッション４２０は、前記振動モーター４００の固定を更に強化して、作動するときも揺動しにくくなり、前記振動モーター４００が前記振動ケース本体１００にぶつかる可能性を減少させ、製品の長期耐用性を維持すると共に騒音の発生も減少できる。
【符号の説明】
【００４０】
１００  振動ケース本体
１１０  収容空間
１２０  振動ケース裏カバー
１３０  フランジ部
１４０  溝部
２００  負圧カップ
３００  防水ゲル
３１０  凹部
４００  振動モーター
４１０  雑音低減カバー
４２０  緩衝クッション                          
【図１】
0003222770.tif 000003
【図２】
0003222770.tif 000004
【図３Ａ】
0003222770.tif 000005
【図３Ｂ】
0003222770.tif 000006
【図４Ａ】
0003222770.tif 000007
【図４Ｂ】
0003222770.tif 000008
【図５Ａ】
0003222770.tif 000009
【図５Ｂ】
0003222770.tif 000010